(57)【要約】【課題】設定変更又は設定確認等の手段を内部に設けることなく、安価且つコンパクトな自動通報装置等の端末装置の端末設定方法および装置を提供する。【解決手段】電話回線インタフェース、ＰＢ信号受信部１２および通信網２１との間での音声帯域を低減するフィルタ１３を備え、装置内部の記憶部１５に設定データを保存し、その保存された設定データの内容に従って動作する。また、記憶部１５には、設定データと共に音声データを格納し、ユーザに対して「設定を開始します」等の音声によるメッセージを、ユーザに対して出力する。【選択図】図１
2006074540.tif 000002
【特許請求の範囲】
【請求項１】
外付けの電話機と接続して通信を可能にする電話回線インタフェースを有する端末の設定の変更や設定の確認を行う端末設定方法において、
前記端末の設定変更の際に使用する外付け電話機を局給電で駆動することを特徴とする端末設定方法。
【請求項２】
前記端末は自動通報装置であり、前記変更される設定は、通報先電話番号や通報回数等であることを特徴とする請求項１に記載の端末設定方法。
【請求項３】
回線を切り替える回線切替手段と、外付けされた電話機からのＰＢ信号を検出する検出手段と、設定中のＰＢ信号を公衆回線に流さないようにする手段とを備えることを特徴とする端末設定装置。
【請求項４】
前記端末の設定データ等を記憶するデータ記憶手段を更に備えることを特徴とする請求項３に記載の端末設定装置。
【請求項５】
前記データ記憶手段は、設定データおよび音声データを記憶し、前記音声データを再生出力する音声合成部およびスピーカを備えることを特徴とする請求項４に記載の端末設定装置。
【請求項６】
前記ＰＢ信号を公衆回線に流さないようにする手段は、低域フィルタ（ＬＰＦ）であることを特徴とする請求項３に記載の端末設定装置。
【発明の詳細な説明】
【技術分野】
【０００１】
本発明は端末設定方法および装置に関し、特に電話回線インタフェースを有する自動通報装置等の端末の設定変更を電話機により行うことを可能にする端末設定方法および装置に関する。
【背景技術】
【０００２】
自動通報装置等の端末では、各種の設定、例えば通報先電話番号や通報回数等の設定のための操作部を有するか、又はＰＣ（パーソナルコンピュータ）等の専用又は汎用の設定機器を接続して行うのが一般的である。
【０００３】
斯かる技術分野における又は関連する従来技術は、幾つかの文献に開示されている。電話機の接続先を切り替えるための第１切替回路、電話機をローカルにて駆動するための直流電流を供給する電流供給回路、電話機又は電話回線からの多周波信号受信回路およびこの多周波信号受信回路の接続先を切り替える第２切替回路を有する網制御回路が開示されている（例えば、特許文献１参照。）。また、留守録用音声メモリの録音設定を外部電話機からのＤＴＭＦ（Dial Tone Multi Frequency）信号により自由に行うコードレス留守番電話機が開示されている（例えば、特許文献２参照。）。
【０００４】
【特許文献１】特開昭６４−４１３５７号公報（第２頁、第１図、第２図）
【特許文献２】特開平６−１２１０２４号公報（第２−４頁、第１図）
【発明の開示】
【発明が解決しようとする課題】
【０００５】
上述の如き従来技術は、幾つかの課題を有する。即ち、操作部を内蔵すると、通常の運用では使用しない操作部を装置（又は端末）本体に内蔵しなくてはならず、コストおよび装置の小型化に不利である。一方、外部に設定機器を接続すると、装置本体は低コスト且つ小型化可能であるが、本体から給電又は外部の電源を用意する必要がある。
【０００６】
本発明は、従来技術の上述した課題に鑑みなされたものであり、上述した課題を解消又は軽減する端末設定方法および装置を提供することを目的とする。
【課題を解決するための手段】
【０００７】
前述の課題を解決するため本発明の端末設定方法および装置は次のような特徴的な構成を採用している。
【０００８】
（１）外付けの電話機と接続して通信を可能にする電話回線インタフェースを有する端末の設定の変更や設定の確認を行う端末設定方法において、
前記端末の設定変更の際に使用する外付け電話機を局給電で駆動する端末設定方法。
【０００９】
（２）前記端末は自動通報装置であり、前記変更される設定は、通報先電話番号や通報回数等である上記（１）の端末設定方法。
【００１０】
（３）回線を切り替える回線切替手段と、外付けされた電話機からのＰＢ信号を検出する検出手段と、設定中のＰＢ信号を公衆回線に流さないようにする手段とを備える端末設定装置。
【００１１】
（４）前記端末の設定データ等を記憶するデータ記憶手段を更に備える上記（３）の端末設定装置。
【００１２】
（５）前記データ記憶手段は、設定データおよび音声データを記憶し、前記音声データを再生出力する音声合成部およびスピーカを備える上記（４）の端末設定装置。
【００１３】
（６）前記ＰＢ信号を公衆回線に流さないようにする手段は、低域フィルタ（ＬＰＦ）である上記（３）の端末設定装置。
【発明の効果】
【００１４】
本発明の端末設定方法および装置によると、次の如き実用上の顕著な効果が得られる。即ち、端末の設定変更の際に使用する外付け電話機を局給電で駆動することにより、専用の操作部や設定用装置を省略して部品点数を低減してコストダウンおよび小型化を可能にする。また、従来技術では、装置側へ外部電話機を切り替える場合には、局側からの着信により設定作業が中断されることがあるが、本発明によると、局側を捕捉しており、着信を受け付けない状況で設定作業が行える。
【実施例１】
【００１５】
以下、本発明による端末設定方法および装置の好適実施例の構成および動作を、添付図面を参照して詳細に説明する。
【００１６】
図１は、本発明による端末設定装置の好適実施例としての自動通報装置の構成を示すブロック図である。この自動通報装置１０は、回線切替部１１、ＰＢ信号受信部１２、フィルタ部（ＬＰＦ）１３、制御部１４、記憶部１５、設定スイッチ１６、音声合成部１７およびスピーカ１８により構成されている。また、この自動通報装置１０には、通信網２１および電話機２２が接続されている。記憶部１５は、設定データ領域１５ａおよび音声データ領域１５ｂを有し、それぞれ設定データおよび音声データを記憶する。
【００１７】
図１に示す自動通報装置１０に接続される電話機２２は、自動通報装置１０の各種設定、例えば通報先電話番号や通報回数等の設定の変更や設定内容の確認のために使用される。
【００１８】
設定スイッチ１６にてユーザが設定開始操作を行う。制御部１４は、回線切替部１１を制御して設定側（１１ａ）に倒す。これにより、通信網２１および電話機２２のループにフィルタ部１３が挿入される。この状態で、ユーザが電話機２２をオフフックすることにより、電話機２２は、通信網２１により給電され動作する。
【００１９】
ユーザの操作により、電話機２２から送出されるＰＢ信号は、この自動通報装置１０のＰＢ（又はＤＴＭＦ）信号受信部１２により受信され、制御部１４に通知する。制御部１４は、信号の内容に従い記憶部１５の設定データ領域１５ａを更新又は設定データ領域１５ａの内容に従って記憶部１５の音声データ領域１５ｂの内容を音声合成部１７およびスピーカ１８を介してユーザに通知する。これらの操作の間、フィルタ部１３により音声帯域はカットされるので、通信網２１へＰＢ信号および音声信号が漏洩することはない。
【００２０】
以上、本発明による自動通報装置１０の好適実施例の構成を詳述した。尚、図１中のフィルタ部１３は、例えばＬＣ（インダクタおよびキャパシタ）により構成される当業者には周知であり、また本発明とは直接関係しないので、その詳細構成は省略する。また、自動通報装置１０の設定に使用される電話機２２は、電話回線インタフェースを有し、ＰＢ信号の送出が可能である他の通信機器でも良い。
【００２１】
次に、図１に示す自動通報装置１０の動作を説明する。設定スイッチ１６がユーザにより、例えば３秒間押されると、制御部１４は、音声合成部１７を駆動してスピーカ１８より、例えば「設定を開始します」等の音声フレーズを送出する。そして、設定動作の開始をユーザに通知すると共に回線切替部１１を設定用回路側１１ａに切り替える。これにより、通信網２１および電話機２２間に音声帯域をカットするフィルタ部１３が挿入される。そして、以下の一連の操作の間に電話機２２および自動通報装置１０の音声合成部１７より送出されるＰＢ信号や音声信号が通信網２１へは流れ（送出され）ないことに留意されたい。
【００２２】
上述の状態で電話機２２がオフフックされると、電話機２２は、通信網２１により給電される。しかし、通信網２１からのダイヤルトーン等はフィルタ部１３によりカットされる。ユーザの操作により電話機２２より送出されるＰＢ信号を、自動通報装置１０のＰＢ（ＤＴＭＦ）信号受信部１２が検出し、制御部１４へ通知する。
【００２３】
制御部１４は、受信したＰＢ信号の内容を解釈する。そして、その信号が設定変更のコマンド（命令）であれば、受信したデータの内容に従って記憶部１５の設定データ領域１５ａの内容を更新する。ここで、設定データ領域１５ａの内容は、上述の如く、例えば自動通報装置１０の自動通報先の電話番号や通報回数等である。
【００２４】
次に、制御部１４は、記憶部１５の音声データ領域１５ｂの該当する音声フレーズのデータを音声合成部１７へ送信する。記憶部１５の音声データ領域１５ｂに格納されている音声フレーズは、「設定開始」や「終了」を知らせるメッセージおよび「設定内容」を読み上げるための数字等である。音声合成部１７では、受信した音声データをデコード（復号）し、スピーカ１８へ出力し、ユーザに対して音声出力する。
【００２５】
他方、ＤＴＭＦ受信部１２で受信したＰＢ信号が「設定確認」のコマンドの場合には、記憶部１５の設定データ領域１５aの内容に従い、記憶部１５の音声データ領域１５ｂの該当する音声フレーズのデータを音声合成部１７へ送信する。音声合成部１７は、受信した音声データをデコードし、スピーカ１８に出力する。
【００２６】
以上、本発明による端末設定方法および装置の好適実施例の構成および動作を詳述した。しかし、斯かる実施例は、本発明の単なる例示に過ぎず、何ら本発明を限定するものではないことに留意されたい。本発明の要旨を逸脱することなく、特定用途に応じて種々の変形変更が可能であること、当業者には容易に理解できよう。例えば、電話機２２からの「*９＃」といった特定のＰＢ信号を受信したとき「設定動作」を開始する構成とすれば、自動通報装置１０の設定スイッチ１６が省略可能である。また音声合成部１７からの出力を局線に重畳する方式とすれば、電話機２２に対して音声フレーズを送出することができる。
【図面の簡単な説明】
【００２７】
【図１】本発明による端末設定方法および装置の好適実施例の構成を示すブロック図である。
【符号の説明】
【００２８】
１０  自動通報装置（端末設定装置）
１１  回線切替部
１２  ＰＢ信号受信部（検出手段）
１３  フィルタ（ＬＰＦ）
１４  制御部
１５  記憶部
１６  設定スイッチ
１７  音声合成部
１８  スピーカ
２１  通信網
２２  電話機（外付け）
【図１】
2006074540.tif 000003